(57)【特許請求の範囲】
【請求項１】
複数の照明器具と、前記照明器具に対する点灯制御信号を送信するゲートウェイ機と、を備えた照明システムにおいて、
前記照明器具を撮像する画像センサと、
前記画像センサによる撮像画像を表示するモニタ部と、
前記モニタ部により表示されている撮像画像上で照明器具の個々に対して物理アドレスをユーザが設定するための設定部と、を備え、
前記設定部は、ユーザが前記撮像画像に写った前記照明器具を個々に指示し、かつその指示位置に関連付けて前記物理アドレスを入力することが可能な構成とされており、
前記ゲートウェイ機は、
前記照明器具の個々に予め設定されている論理アドレスを記憶させる記憶部と、
前記記憶部を参照し、前記照明器具の論理アドレスを１つずつ前記点灯制御信号の送信先に指定して、前記照明器具を順次点灯又は消灯させる点灯制御部と、を備え、
前記モニタ部は、前記照明器具の点灯又は消灯に起因した前記撮像画像の変化領域を検出する検出部を備え、
前記検出部により検出された撮像画像の変化領域内の照明器具に対して設定されている前記物理アドレスと、前記点灯又は消灯されていた照明器具の論理アドレスとを対応付けて前記記憶部に記憶させることを特徴とする照明システム。
【請求項２】
前記モニタ部は、前記画像センサによる撮像画像と、その撮像画像上の照明器具の個々に対して前記設定部により設定された物理アドレスとを記憶する記憶部を備えることを特徴とする請求項１に記載の照明システム。
【発明の詳細な説明】
【技術分野】
【０００１】
本発明は、複数の照明器具と、それらを点灯制御するゲートウェイ機とを備えた照明システムに関する。
【背景技術】
【０００２】
照明システムではないが、従来から、照明器具にネットワークを介して管理用コンピュータが接続された設備管理システムが知られている（例えば、特許文献１参照）。この設備管理システムでは、上記ネットワークと照明器具との間にゲートウェイ機が設けられており、ゲートウェイ機には照明器具以外に監視カメラ等の他の機器も接続されている。
【０００３】
ところで、上記の設備管理システムにおいて、ゲートウェイ機が照明器具及び他の機器と通信を行えるようにするためには、通信対象を特定できるようにアドレス等を照明器具及び他の機器の夫々に付与しておく必要がある。ゲートウェイ機に複数の照明器具だけが接続された照明システムの場合も同様であり、照明器具間で、又はゲートウェイ機が照明器具と通信を行えるようにするためには、各照明器具にアドレスを付与しておく必要がある。そこで、一般には、工場出荷時に照明器具の各々にアドレスが予め設定されている。以下、このアドレスを論理アドレスという。
【０００４】
しかしながら、照明システムが施工されて照明器具がそれぞれ所定の位置に設置された後、ユーザが照明器具の論理アドレスを把握し、それを用いて制御対象の照明器具を指定しようとする場合、論理アドレスは照明器具の位置関係、例えば配列とは無関係に設定されているので、ユーザは照明器具の論理アドレスとその位置とを結び付け難い。このため、制御対象の照明器具を指定し難い。
【特許文献１】特開２００１−６８８３号公報
【発明の開示】
【発明が解決しようとする課題】
【０００５】
本発明は、上記の従来の問題を解決するためになされたものであり、複数の照明器具のうち制御対象の照明器具をユーザが指定し易いようにした照明システムを提供することを目的とする。
【課題を解決するための手段】
【０００６】
上記目的を達成するために本発明は、複数の照明器具と、前記照明器具に対する点灯制御信号を送信するゲートウェイ機と、を備えた照明システムにおいて、前記照明器具を撮像する画像センサと、前記画像センサによる撮像画像を表示するモニタ部と、前記モニタ部により表示されている撮像画像上で照明器具の個々に対して物理アドレスをユーザが設定するための設定部と、を備え、前記設定部は、ユーザが前記撮像画像に写った前記照明器具を個々に指示し、かつその指示位置に関連付けて前記物理アドレスを入力することが可能な構成とされており、前記ゲートウェイ機は、前記照明器具の個々に予め設定されている論理アドレスを記憶させる記憶部と、前記記憶部を参照し、前記照明器具の論理アドレスを１つずつ前記点灯制御信号の送信先に指定して、前記照明器具を順次点灯又は消灯させる点灯制御部と、を備え、前記モニタ部は、前記照明器具の点灯又は消灯に起因した前記撮像画像の変化領域を検出する検出部を備え、前記検出部により検出された撮像画像の変化領域内の照明器具に対して設定されている前記物理アドレスと、前記点灯又は消灯されていた照明器具の論理アドレスとを対応付けて前記記憶部に記憶させることを特徴とする。
【０００７】
前記モニタ部は、前記画像センサによる撮像画像と、その撮像画像上の照明器具の個々に対して前記設定部により設定された物理アドレスとを記憶する記憶部を備えることが好ましい。
【発明の効果】
【０００８】
本発明によれば、設定部により設定される照明器具の個々の物理アドレスは、各照明器具に予め設定されている論理アドレスと対応付けされるので、ゲートウェイ機は、ユーザが物理アドレスを指定したとき、それと対応する論理アドレスを選択し、その論理アドレスが設定されている照明器具を制御対象として点灯制御することができる。従って、照明器具の物理アドレスを指定することで制御対象を指定することができる。このため、例えば物理アドレスを照明器具の配列等の位置関係に応じて設定した場合、照明器具の位置と物理アドレスとを結び付け易くなり、照明器具の位置とは無関係に設定されている論理アドレスの場合と比べ、制御対象の照明器具を指定し易くなる。
【発明を実施するための最良の形態】
【００１０】
以下、本発明の一実施形態に係る照明システムについて図面を参照して説明する。まず、その構成について図１〜図３を参照して説明する。図１は本実施形態の照明システムの構成を示し、図２はその電気的構成を示す。本実施形態の照明システム１は、互いに通信線２によりバス型接続された複数の照明器具３と、これらを管理し、照明器具３に対して点灯又は消灯制御信号を送信するゲートウェイ機４と、照明器具３を撮像する撮像装置５（画像センサ）と、撮像装置５による撮像画像を表示し、その撮像画像上でユーザが各照明器具３に物理アドレスを設定するためのコンピュータ装置６（モニタ部）と、照明器具３及び上記の各装置に電力線７ａを介して給電する商用電源７ｂとを備える。照明器具３の個々には、工場出荷時に論理アドレス（ＬＡ：Logical Address）が予め設定されている。ゲートウェイ機４はそれらの論理アドレスと上述の物理アドレスとを対応付けて記憶し、ユーザによる物理アドレス指定時にその物理アドレスに対応する論理アドレスを選択し、その論理アドレスが設定されている照明器具３を点灯制御する。通信線２による照明器具３の接続形態は上記に限定されない。
【００１１】
図３は、照明器具３、ゲートウェイ機４及びコンピュータ装置６の構成を示す。照明器具３は、光源３０と、それを点灯させる点灯回路３１と、点灯回路３１を制御することで光源３０を点灯制御するマイクロプロセッサ又はロジックＩＣ等（以下、マイクロプロセッサ等という）で構成される制御部３２と、論理アドレスが予め格納されているＲＯＭ、フラッシュメモリ又はＥＥＰＲＯＭ等で構成される記憶部３３と、ゲートウェイ機４と通信する通信Ｉ／Ｆ（Interface）部３４とを備える。
【００１２】
光源３０は、ＬＥＤ、蛍光灯、高輝度放電灯又は電球等で構成できる。制御部３２は、通信Ｉ／Ｆ部３４を制御して、照明器具３との接続時に自器具の論理アドレスをゲートウェイ機４に送信する。また、制御部３４は、ゲートウェイ機４から送信され通信Ｉ／Ｆ部３４を介して受信した点灯制御信号に基づいて光源３０を点灯制御する。通信Ｉ／Ｆ部３４は、ＲＳ４８５等に準拠した２線式シリアル通信回路で構成され、これに合わせて通信線２としてはシリアル通信用ケーブルが用いられる。
【００１３】
ゲートウェイ機４は、複数の照明器具３と接続され、それらと通信する通信Ｉ／Ｆ部４０と、通信Ｉ／Ｆ部４０と照明器具３との接続を検知して照明器具３から論理アドレスを取得するマイクロプロセッサ等で構成される制御部４１と、制御部４１によりその取得した論理アドレスが格納されるフラッシュメモリ又はＥＥＰＲＯＭ等の記憶媒体で構成される記憶部４２と、コンピュータ装置６と通信するコンピュータ用通信Ｉ／Ｆ部４３とを備える。
【００１４】
通信Ｉ／Ｆ部４０及びコンピュータ用通信Ｉ／Ｆ部４３は照明器具３の通信Ｉ／Ｆ部３４と同種の通信回路構成を有する。制御部４１は記憶部４２を参照し、照明器具３の論理アドレスを１つずつ点灯制御信号の送信先に指定して、照明器具３を順次点灯又は消灯させる（点灯制御部）。また、制御部４１は、その点灯又は消灯させていた照明器具３の論理アドレスと、その照明器具３に対してコンピュータ装置６により設定される物理アドレスとの対応テーブルを作成し、それを記憶部４２に記憶させる。
【００１５】
コンピュータ装置６は、撮像装置５による照明器具３の撮像画像信号が入力される画像信号入力部６０と、その撮像画像信号を基にモニタ６１に撮像画像を表示させるマイクロプロセッサ等で構成される制御部６２と、モニタ６１により表示されている撮像画像（以下、表示画像という）上で照明器具３の個々に対して物理アドレスをユーザが設定するための設定部６３と、上述の撮像画像とその撮像画像上で設定された照明器具３の物理アドレスとを記憶する記憶部６４と、ゲートウェイ機と通信する通信Ｉ／Ｆ部６５とを備える。
【００１６】
制御部６２は、照明器具３の点灯又は消灯に起因した表示画像の変化領域を検出し（検出部）、その変化領域内の照明器具３に対して設定されている物理アドレスを通信Ｉ／Ｆ部６５を用いてゲートウェイ機４に送信する。設定部６３は、表示画像上で任意の位置を指示可能なマウス、ライトペン又はタッチパネル等と、その指示位置に関連付けて物理アドレスを入力可能なキーボード等とで構成される。設定部６３の操作により、ゲートウェイ機４の各種指示及び撮像装置５の撮像制御も可能である。通信Ｉ／Ｆ部６５はコンピュータ用通信Ｉ／Ｆ部４３と同種の通信回路構成を有する。
【００１７】
次に、照明システム１における照明器具３への物理アドレス設定動作について、上述の図２及び図３に加え、図４及び図５を参照して説明する。まず、コンピュータ装置６が、ユーザによる設定部６３の操作に基づき、撮像装置５に照明器具３の撮像を指示し、撮像装置５は、天井に配設された照明器具３全体を撮像する。撮像時に全照明器具３は点灯していることが望ましい。モニタ６１がその撮像画像を表示する。
【００１８】
ユーザにより設定部６３が操作され、次は、モニタ６１による表示画像に写った照明器具３が個々に指示され、その指示位置に関連付けて物理アドレスが設定される。この物理アドレスの設定は、例えば、表示画像上で任意の位置が指示されたときに、その指示位置に関連付けてその傍にテキスト入力枠を自動的に表示させることができる。
【００１９】
制御部６２は、上述の指示位置と物理アドレスとを撮像画像に重ねて表示するようにモニタ６１を表示制御する。図４はその表示された撮像画像Ｇ１の一例を示す。同図においては、指示位置がプロットされ、物理アドレスとして照明器具３の配列順に数値が割り付けられている。制御部６２は、撮像画像Ｇ１と、指示位置の座標情報（Ｘｉ，Ｙｉ）（図４においてはｉ＝１〜９）及びそれに関連付けされた物理アドレスとを記憶部６４に格納する。
【００２０】
そして、ユーザにより設定部６３が再度操作され、制御部６２は通信Ｉ／Ｆ部６５を介してゲートウェイ機４に全照明器具３の消灯を指示する。ゲートウェイ機４の制御部４１は通信Ｉ／Ｆ部４０を介してその指示を受け取り、全照明器具３に対して消灯制御信号を送信し、それらを消灯させる。コンピュータ装置６の制御部６２は、ゲートウェイ機４へ消灯を指示すると共に、撮像装置５へ撮像を指示する。撮像装置５は消灯した全照明器具３を撮像し、制御部６２はこの撮像画像を基準撮像画像として記憶部６４に格納する。
【００２１】
制御部６２は、上述の基準撮像画像の取得後、ゲートウェイ機４に対して照明器具３を１台ずつ所定の時間点灯させるように指示する。この指示に基づき、ゲートウェイ機４は、論理アドレスの昇順に照明器具３を１台ずつ点灯させる。照明器具３は論理アドレスの降順又はランダムに点灯されてもよい。制御部６２は、照明器具３が１台ずつ点灯される毎に、撮像装置５に照明器具３の撮像を指示する。図５（ａ）〜（ｃ）は、そのときの撮像画像Ｇ１を示し、例として論理アドレスＬＡが００１〜００３の照明器具３（上述の図２参照）を順に点灯させたときのそれらの撮像画像Ｇ１を示す。
【００２２】
また、制御部６２は、照明器具３が１台ずつ点灯される毎に、その撮像画像と、上述の基準撮像画像（全照明器具３が消灯時の画像）とを比較し、撮像画像の変化領域、すなわちその変化位置と範囲とを座標情報として検出する。撮像画像が例えばモノクロ画像である場合、上述の比較時に輝度の差が所定の値以上である領域を上述の変化領域として検出される。そして、制御部６２は、記憶部６４を参照し、その変化領域内に在る上述の指示位置の座標情報を選択し、それに関連付けされている物理アドレス情報を取得する。この物理アドレスは、図５（ａ）においては＃７、同図（ｂ）においては＃５、同図（ｃ）においては＃９である。物理アドレス情報は制御部６２から通信Ｉ／Ｆ部６５を介してゲートウェイ機４に送出される。
【００２３】
ゲートウェイ機４の制御部４１は通信Ｉ／Ｆ部４０を介して上述の物理アドレス情報を受信し、その物理アドレスと、そのときに点灯させている照明器具３の論理アドレスとを、記憶部４２を参照して対応付ける。このような対応付けが全ての照明器具３に対してなされ、対応テーブルが作成され、記憶部４２に格納される。対応テーブル作成後、コンピュータ装置６は撮像装置５と共にゲートウェイ機４から取り外すことができる。
【００２４】
本実施形態においては、コンピュータ装置６の設定部６３により設定される照明器具３の個々の物理アドレスは、各照明器具３に予め設定されている論理アドレスとゲートウェイ機４により対応付けされる。そして、ゲートウェイ機４は、ユーザが設定部６３により物理アドレスを指定したとき、それと対応する論理アドレスを選択し、その論理アドレスが設定されている照明器具３を制御対象として点灯制御する。従って、照明器具３の物理アドレスを指定することで制御対象を指定することができる。このため、物理アドレスを例えば照明器具３の配列等の位置関係に応じて設定した場合、照明器具３の位置と物理アドレスとを結び付け易くなり、照明器具３の位置とは無関係に設定されている論理アドレスの場合と比べ、制御対象の照明器具３を指定し易くなる。また、物理アドレスの設定はコンピュータ装置６のモニタ６１を見ながら行えるので、設定作業は容易である。
【００２５】
また、照明システム１が複数のフロアを持つ建物の各フロアに導入され、照明器具３が各フロアで同じように設置された場合に、１フロアで照明器具３を撮像し、その撮像画像上で照明器具３の物理アドレスを設定したとき、その撮像画像及び物理アドレスは記憶部により記憶される。従って、他のフロアではそれらを流用することで、物理アドレスの設定作業を省略できる。
【００２６】
なお、本発明は、上記の実施形態の構成に限定されるものでなく、使用目的に応じ、様々な変形が可能である。例えば、通信Ｉ／Ｆ部３４、４０及びコンピュータ用通信Ｉ／Ｆ部４３は、Ｅｔｈｅｒｎｅｔ規格に準拠し通信線２としてＬＡＮケーブルを用いる通信回路、又は無線ＬＡＮ規格に準拠し通信線２として無線ＬＡＮを用いる通信回路であってもよいし、特定のシステムに特化した専用通信規格に準拠するように構成されていてもよい。また、全照明器具３を点灯させたときの撮像画像を上述の基準撮像画像とし、照明器具３を１台ずつ消灯させてその都度撮像し、その撮像画像と基準撮像画像とを比較して、照明器具の消灯による撮像画像の変化領域を検出してもよい。また、撮像画像の変化領域の検出は、基準撮像画像との比較によるのではなく、照明器具３の点灯により輝度が高くなった画像部分のエッジ検出によるものであってもよい。
【図面の簡単な説明】
【００２７】
【図１】本発明の一実施形態に係る照明システムの構成図。
【図２】上記システムの電気的ブロック図。
【図３】上記システムを構成する照明器具、ゲートウェイ機及びコンピュータ装置の夫々の電気的ブロック図。
【図４】上記システムの撮像装置による撮像画像例を示す図。
【図５】（ａ）〜（ｃ）は上記照明器具を１台ずつ順に点灯させたときの撮像画像例を示す図。
【符号の説明】
【００２８】
１  照明システム
２  通信線
３  照明器具
４  ゲートウェイ機
４１  制御部（点灯制御部）
４２  記憶部
５  撮像装置（画像センサ）
６  コンピュータ装置（モニタ部）
６１  モニタ
６２  制御部（検出部）
６３  設定部
６４  記憶部
【図１】
0005336100.tif 000002
【図２】
0005336100.tif 000003
【図３】
0005336100.tif 000004
【図４】
0005336100.tif 000005
【図５】
0005336100.tif 000006